(57)【特許請求の範囲】
【請求項１】
組合式家禽・家畜用高床構造は、互いに組み立てて結合する幾つかの高床板を含んでなり、これらの高床板が、何れも一つの平台および平台の底部に平行して設けられる少なくとも二つの支持板体を、具し、且つ二つの支持板体の間に一つの排水経路が形成され、該平台の表面から平台を表裏に突き抜ける幾つかの透過孔が前記平台の縦横にそれぞれ複数行・複数列設けられ、前記排水経路の１つは、少なくとも２列の前記透過孔及び少なくとも２行の前記透過孔にそれぞれ連通しており、更に平台の互いに隣接する二つの外側辺縁部に、何れも少なくとも一つの組合凹溝が設けられ、そして互いに隣接する他の二つの外側辺縁部に、何れも少なくとも一つの組合凸部が前記組合凹溝に嵌め込み可能に設けられ、これにより、幾つかの高床板を互いに組み立てて結合し、
これらの高床板が、室内飼育場の地面上に対応して設置され、その中でも、該地面がやや傾斜して一つの洗い流し端部と一つの排出端部を具し、且つこれらの高床板の支持板体が地面の傾斜方向に沿って洗い流し端部から排出端部まで延びるように配列されて、該洗い流し端部が、地面の高い傾斜箇所に位置し且つ一つの洗い流しユニットを設け、更に該洗い流しユニットが、それぞれ一つの排水経路に対応して一つの洗い流し水管を設け、そして該排出端部が地面の低い傾斜箇所に位置し、更に一つの排便槽を掘削して設けることを特徴とすることを特徴とする、組合式家禽・家畜用高床構造。
【請求項２】
平台外側辺縁部の組合凹溝の上部が閉鎖されることにより、前記組合凸部が前記組合凹溝の上部に当接して前記組合凸部と前記組合凹部との間に隙間ができないように結合できることを特徴とする、請求項１に記載の組合式家禽・家畜用高床構造。
【請求項３】
室内飼育場の内において、高床板の直下の設置地面に隣接して、一つの水槽が設けられ、該水槽が排便槽より深くなり、且つ前記水槽の一端から前記高床板の直下の設置地面までを結ぶように一つの当着壁が形成されることにより、前記高床板の直下の設置地面と前記水槽とを繋ぐことができ、更に該当着壁の高さが、高床板の平台より高くないことを特徴とする、請求項１に記載の組合式家禽・家畜用高床構造。
【発明の詳細な説明】
【技術分野】
【０００１】
本発明は、組合式家禽・家畜用高床構造に関するもので、特に組合式家禽・家畜用高床構造を指す。
【背景技術】
【０００２】
故に早期的な家禽・家畜飼育方式は、大部分がフロア・ケージ飼育方式で、定期的に掃除する時に、人工方式を介してより噴水して洗い流すが、但し家禽・家畜の活動範囲が広範であるので、その糞便が飼育場の各箇所に分布し、且つ糞便が地面の上に残留して1日を越えた後に、つまり洗い流して清潔しにくくなり、糞便が完全に洗い流して清潔できないことを招き、多少糞便がまだ地面に残留することを招き、ひいては悪臭が生成し、飼育場の浄化度を有効に維持できないだけではなく、更に家禽・家畜が直接に濡れたフロアと糞便に接触させ、また給食により地面に残留する糞便を誤って食べ、家禽と家畜が交互に感染して病気を引き起こしやすくなることを招く。
【０００３】
従って家禽・家畜および飼育場が、家禽・家畜の排泄物による汚染を受けて環境の衛生と家禽・家畜の健康問題を招くことを避けるために、現段階では既に高床式の飼育が続々と広がる。高床式の豚飼育場を例とするが、該高床式の豚飼育場には、架設した高床棚が敷設され、架設した高床棚がホロー構造を呈し、例えばグリッドにより構成されるが、従って豚が排泄する時に、その糞便と尿などの排泄物が、つまり架設した高床棚の下方の地面に落下でき、排泄物が豚から隔離させ、更に排泄物の整理の実行に寄与するが、但し上記の言及する架設の高床棚の底部が、ただ周辺を高めて床棚とフロアに距離を有するだけで、床棚の中央箇所の荷重効果が比較的悪くなり、且つフロアも遮蔽を受けなくて全平面状に形成し、水流により糞便を洗い流す時に、その水流強度がフロアの全面的な洗い流し効果を達成できないことを招き、糞便を有効に洗い流して地面に残留することを招き、他方では人工スプレーによる洗浄方式を介し、更に比較的に時間がかかって努力し、効率が欠ける。
【０００４】
そこで、この点を考え、本創作者は、長年にわたって関連製品の製造・開発および設計・経験に従事し、上記の目標に対して詳しく設計し且つ慎重に評価した後に、ついに実用性を確かに有する本発明を取得する。
【発明の概要】
【発明が解決しようとする課題】
【０００５】
本発明が解決しようとする技術問題は、既存技術に存在する上記の欠点に対し、組合式家禽・家畜用高床構造を提供することにある。
【課題を解決するための手段】
【０００６】
組合式家禽・家畜用高床構造は、その組合式家禽・家畜用高床構造が、互いに組み立てて結合する幾つかの高床板を含んでなり、これらの高床板が、何れも一つの平台および平台の底部に平行して設けられる少なくとも二つの支持板体を、具し、且つ二つの支持板体の間に一つの排水経路が形成され、該平台の表面に、平台を突き抜ける幾つかの透過孔が前記平台の縦横にそれぞれ複数行・複数列設けられ、前記排水経路の１つは少なくとも２列の前記透過孔及び少なくとも２行の前記透過孔にそれぞれ連通しており、更に平台の互いに隣接する二つの外側辺縁部に、何れも少なくとも一つの組合凹溝が設けられ、そして互いに隣接する他の二つの外側辺縁部に、何れも少なくとも一つの組合凸部が前記組合凹溝に嵌め込み可能に設けられ、これにより、幾つかの高床板を互いに組み立てて結合し、これらの高床板が、室内飼育場の地面上に対応して設置され、その中でも、該地面がやや傾斜して一つの洗い流し端部と一つの排出端部を具し、且つこれらの高床板の支持板体が地面の傾斜方向に沿って洗い流し端部から排出端部まで延びるように配列されて、該洗い流し端部が、地面の高い傾斜箇所に位置し且つ一つの洗い流しユニットを設け、更に該洗い流しユニットが、それぞれ一つの排水経路に対応して一つの洗い流し水管を設け、そして該排出端部が地面の低い傾斜箇所に位置し、更に一つの排便槽を掘削して設けることにより、組合式家禽・家畜用高床構造を完成するためである。
【発明の効果】
【０００７】
従来の技術と対照する効果が、下記の通りである。
【０００８】
（一）、本発明の高床構造は、幾つかの高床板を介して組み合わせてなることにより、構造の使用上では飼育の環境および範囲を視してより設置・使用でき、構造使用の利便性を向上する。
【０００９】
（二）、これらの高床板が、支持板体を介して地面に当接することにより、平台と地面との間に、適当な高さを有し、家禽または家畜が糞便を排出する時に、つまり透過孔を経由して地面の上に落下でき、糞便が平台の上に残留することを避け、且つ平台と地面の上に形成された距離を介し、糞便が家禽・家畜から有効に隔離でき、家禽・家畜が糞便と接触して病気に感染する恐れを、防止し、実用性を有する。
【００１０】
（三）、その高床板の底部が、支持板体の配置につれて少なくとも一つの排水経路を設け、且つ高床板が飼育場に対応して設置される時に、その各排水経路が、何れも洗い流しユニットにより一つの洗い流し水管をそれぞれ設け、更に定時かつ自動化の洗い流し方式を介し、各排水経路の間に落下する糞便が、何れも同様の水流強度を受けて洗い流しを実行でき、また支持板体の区別・隔離を介し、更に各排水経路が水流を受けることによる浄化の効果を、有効に向上でき、地面の浄化度を大幅に向上し、飼育環境の清潔を維持し、同時に家禽・家畜が病気に感染する確率を、低減する。
【図面の簡単な説明】
【００１１】
【図１】本発明の斜視図および組合模式図である。
【図２】本発明の分解図である。
【図３】本発明の底面斜視図である。
【図４】本発明の組合断面図である。
【図５】本発明の他の実施例の斜視図である。
【図６】本発明の他の実施例の組合模式図である。
【図７】本発明の設置状態模式図である。
【図８】本発明の実際使用状態模式図である。
【図９】本発明の洗い流し洗浄の実際使用状態模式図である。
【図１０】本発明の糞便が水流により排便槽へ洗い流される模式図である。
【図１１】本発明の室内飼育場の内に水槽を更に設ける斜視図である。
【図１２】本発明の室内飼育場の内に水槽を更に設ける断面図である。
【発明を実施するための形態】
【００１２】
ひいては、審査官が本発明の目的、特徴および効果をより理解・認識できるために、以下に図面に対応して下記のように詳しく述べる。
【００１３】
先ず、先に図1と図2を参照して図3と図4に対応して示すように、組合式家禽・家畜用高床構造は、互いに組み立てて結合する幾つかの高床板10を含んでなり、これらの高床板10が、何れも一つの平台11および平台11の底部に平行して設けられる少なくとも二つの支持板体12を、具し、且つ二つの支持板体12の間に一つの排水経路13が形成され、その中でも、これらの高床板10が、面積の比較的大きな板体で、その平台11の底部に幾つかの支持板体12が設けられ、更に幾つかの支持板体12を介して平台11の底部に幾つかの排水経路13が形成され、該平台11の表面に、平台を突き抜ける幾つかの透過孔111が設けられ、更に平台11の互いに隣接する二つの外側辺縁部に、何れも少なくとも一つの組合凹溝14が設けられ、そして互いに隣接する他の二つの外側辺縁部に、何れも少なくとも一つの組合凸部15が設けられ、これにより、幾つかの高床板を提供して互いに組み立てて結合するが、更に該平台外側辺縁部の組合凹溝14のトップ部が閉鎖状141に形成されることにより、組合凸部15の当接・スペーシングに供するためである。
【００１４】
その構造の高床構造の他の実施例について、同時に図5と図6を参照して示すように、これらの高床板10が、面積の比較的小さな板体で、その平台11の底部には、互いに平行する二つの支持板体12のみが設けられ、且つ二つの支持板体12に一つの排水経路13が形成され、更に平台11の互いに隣接する二つの外側辺縁部に、何れも一つの組合凹溝14が設けられ、そして互いに隣接する他の二つの外側辺縁部に、何れも一つの組合凸部15が設けられる。
【００１５】
その構造の組立て及び実際な設置の状態について、再び図1と図2を参照して図7に対応して示すように、これらの高床板10が室内飼育場の地面20の上に対応して設置され、且つ支持板体12を介して平台11と地面20との間に、適当な高さを有し、その中でも、該地面20がやや傾斜して一つの洗い流し端部21と一つの排出端部22を具し、且つこれらの高床板10の支持板体12が地面20の傾斜方向に沿って洗い流し端部21から排出端部22まで延伸・排列さし、且つ該組合凹溝14のトップ部が閉鎖状141に形成されることにより、組合凸部15が組合凹溝14から離間することを、避けるだけではなく、同時に組合凸部15が平台11の表面から突出して延伸することを防止し、平台11の平坦性を向上するが、該洗い流し端部21が、地面20の高い傾斜箇所に位置し且つ一つの洗い流しユニット23を設け、更に該洗い流しユニット23が、それぞれ一つの排水経路13に対応して一つの洗い流し水管231を設け、そして該排出端部22が地面20の低い傾斜箇所に位置し、更に一つの排便槽24を掘削して設け、且つ該排便槽24が傾斜状（図10に示すように）を呈するが、上記を総合し、これにより、高床板10が室内飼育場に設置されることを、完成する。
【００１６】
その構造の実際な使用の状態について、続いて図7と図8を参照して図9と図10に対応して示すように、該高床構造が室内飼育場に設置された後に、にわとり，あひる，がちょう等の家禽の飼育に供してもよく、ひつじ，ぶた等の家畜の飼育に供してもいが、高床板10の支持板体12を介して地面20の上に当接することにより、平台11と地面20との間に、適当な距離を有し、家禽または家畜が糞便を排出する時に、つまり透過孔111を経由して地面20の上に落下でき、糞便が平台11の上に残留することを避け、且つ平台11と地面20の上に形成された距離を介し、糞便が家禽・家畜から有効に隔離でき、家禽・家畜が糞便と接触して病気に感染する恐れを、防止し、且つ該室内飼育場が、地面20の洗い流し端部21により一つの洗い流しユニット23を設けることにより、洗い流しユニット23を介して自動化かつ定時・定量的に洗い流しを起動でき、地面20の糞便の洗い流しを達成し、更に地面20に形成された傾斜状に沿って排出端部22の排便槽24へ排出し、且つ該洗い流しユニット23が、更に高床板10の各排水経路13に対して一つの洗い流し水管231をそれぞれ設けることにより、各排水経路13の間における糞便が、何れも同様の水流強度を受けて衝撃して洗い流しを実行できるだけではなく、また支持板体12の区別・隔離を介し、更に各排水経路13が水流を受けることによる浄化の効果を、有効に向上でき、ひいては地面20の浄化度を向上し、飼育環境の清潔を維持し、家禽・家畜が病気に感染することを、大幅に避ける。
【００１７】
更に該室内飼育場の内において、より高床板10に隣り合う設置地面20に、更に一つの水槽25が設けられ、同時に図11と図12を参照して示すように、該水槽25が排便槽24より深くなり、且つ一端に一つの当着壁251が形成されることにより、高床板10の当接・スペーシングに供し、更に該当着壁251の高さが、高床板10の平台11より高くないことにより、室内に家禽を飼育する時に、水槽25により水遊び・清潔の効果を更に達成できる。
【００１８】
上記の具体的な実施例の構造により、下記の効果を取得できる。
【００１９】
（一）、本発明の高床構造は、幾つかの高床板10を介して組み合わせてなることにより、構造の使用上では飼育の環境および範囲を視してより設置・使用でき、構造使用の利便性を向上する。
【００２０】
（二）、これらの高床板10が、支持板体12を介して地面20に当接することにより、平台11と地面20との間に、適当な高さを有し、家禽または家畜が糞便を排出する時に、つまり透過孔111を経由して地面20の上に落下でき、糞便が平台11の上に残留することを避け、且つ平台11と地面20の上に形成された距離を介し、糞便が家禽・家畜から有効に隔離でき、家禽・家畜が糞便と接触して病気に感染する恐れを、防止し、実用性を有する。
【００２１】
（三）、その高床板10の底部が、支持板体12の配置につれて少なくとも一つの排水経路13を設け、且つ高床板10が飼育場に対応して設置される時に、その各排水経路13が、何れも洗い流しユニット23により一つの洗い流し水管231をそれぞれ設け、更に定時かつ自動化の洗い流し方式を介し、各排水経路13の間に落下する糞便が、何れも同様の水流強度を受けて洗い流しを実行でき、また支持板体12の区別・隔離を介し、更に各排水経路が水流を受けることによる浄化の効果を、有効に向上でき、地面20の浄化度を大幅に向上し、飼育環境の清潔を維持し、同時に家禽・家畜が病気に感染する確率を、低減する。
【００２２】
上記を総合し、本発明は、既に画期的な構造・設計を確かに達成し、そして改良する創作・内容を有し、同時に産業上の利用可能性および進歩性を更に達成でき、且つ本発明がまだ如何なる出版物に現れず、更に新規性を有し、勿論特許法に関連する法律の規定に合致し、従って特許法により実用新案登録請求を出願するが、貴庁の審査官が詳細に調べ、また素早く合法的に特許されるによう切望する次第で、創作者の権利を保障するためである。
【００２３】
ただ以上の叙述は、本発明のより好ましい実施例だけに過ぎず、勿論、これにより本発明の実施範囲を限定できるものではなく、即ち大体、本発明の実用新案登録請求の範囲により作成された等価な変化および修飾は、いずれも依然として本発明の特許が含む範囲内に属するべきである。
【符号の説明】
【００２４】
10  高床板
11  平台  
12  支持板体
13  排水経路
14  組合凹溝
15  組合凸部
20  地面
21  洗い流し端部
22  排出端部
23  洗い流しユニット
24  排便槽
25  水槽
111  透過孔
141  閉鎖状
231  洗い流し水管
【図１】
0006533800.tif 000002
【図２】
0006533800.tif 000003
【図３】
0006533800.tif 000004
【図４】
0006533800.tif 000005
【図５】
0006533800.tif 000006
【図６】
0006533800.tif 000007
【図７】
0006533800.tif 000008
【図８】
0006533800.tif 000009
【図９】
0006533800.tif 000010
【図１０】
0006533800.tif 000011
【図１１】
0006533800.tif 000012
【図１２】
0006533800.tif 000013